(57)【要約】【課題】複数の蓄電池の高さや位置のずれた蓄電池の端子同士を接続する際に、その高さや位置を調節することなく接触抵抗の低い接続を可能とする部材を提供する。【解決手段】蓄電池の端子と接続かんのボルトによる接続に用いる二個の部材で、一方にはその下面に凹部を設けて上面は平面とし、他方はその上面に凸部を設けて下面は平面とした円盤状に形成し、その凹凸面で対向させて端子と接続かんの間に挿入する。ボルトによる端子への締め付けの際に、端子の高さの差による接続かんの傾斜に応じて上部の部材が凹凸面で摺動により傾いて接続かんとの接触面が矯正されて平行となるため、接触面積が均一に広くとれて接触抵抗が低減されるとともに、その長期安定性が得られる。【選択図】  図２
2012043670.tif 000002
【特許請求の範囲】
【請求項１】
蓄電池間を接続する接続かんと蓄電池端子との間に配置して用いられる蓄電池端子用接続かんの傾き矯正部材において、該傾き矯正部材は、上面を平面に形成し下面を球状凹面に形成した第一の部材と、上面を球状凸面に形成し下面を平面に形成した第二の部材とを、該凹凸面を対向嵌合させて配置されることを特徴とする蓄電池端子用接続かんの傾き矯正部材。
【発明の詳細な説明】
【技術分野】
【０００１】
本発明は、隣接する蓄電池の端子間を接続する接続かんの傾きに対する接触部位の矯正部材に関するものである。
【背景技術】
【０００２】
蓄電池、例えば非常用電源として用いられる据置用鉛蓄電池は、多数の鉛蓄電池を直列または並列に接続して使用される。蓄電池の接続には、通常は両端に開口穴を有する導電性の金属による板状の接続かんが用いられ、これを互いに隣接する蓄電池の端子の頂面間に差し渡し、それぞれの端子に開口穴を貫通するボルトをナットで締結することで接続される。
【０００３】
この場合、隣接する蓄電池に、蓄電池の端子自体の高さのばらつきや、蓄電池を据え付ける架台あるいは据え付け時の高さや位置のずれなどが発生すると、図３（イ）（ロ）に示す通り、差し渡した接続かん４に傾きが発生する。図３（イ）は、蓄電池３の端子６の頂面に接続かん４を当接して接続する場合の図で、蓄電池の高さがずれた場合、この状態でボルト５を蓄電池３の端子６の頂面に掘り込み形成されたナット（図示せず）に螺合して接続かん４を端子６に締結すると、蓄電池３の端子６の頂面と接続かん４との接触面が平行とならず、接触が局部的となって接触面積が減少し、接触抵抗が増大する、あるいは長期的には接続かんの変形が生じて、接触抵抗の経時的な増大が起きるため好ましくない。
【０００４】
図３（ロ）は、蓄電池３の端子６の側面に接続かん４を当接して接続する場合の図で、蓄電池の位置がずれた場合（紙面上では、上下にずれている）、同様の状態が発生し、同様の問題が生じる。なお、図３（ロ）において、符号７はナットである。また、１個の蓄電池に端子６が２個あるは、正負極端子で、蓄電池を直列に接続する場合は、一方の蓄電池の端子が正極端子である場合、これに接続かんで接続される他方の蓄電池の端子は負極端子である。図３（イ）においても同様に１個の蓄電池に端子は２個あるも、図面上省略されているものである。
【０００５】
この問題を解消するため、特許文献１には蓄電池の端子とこれに接続される接続かんの間に編組線を介在させることが提案されている。
【先行技術文献】
【特許文献】
【０００６】
【特許文献１】特開2003-197173号公報
【発明の概要】
【発明が解決しようとする課題】
【０００７】
しかしながら、編組線を介在させた場合には、次のような問題がある。すなわち、編組線を接続部に用いると、その内部組織が均一であったとしても、変形時に組織が不均一となり、ボルトなどの締め付け力により編組線が押しつぶされて導電性に大きく寄与する部分と、力を受けずに変形しないで導電性に余り寄与しない部分が発生し、接触抵抗の減少に限度がある
【課題を解決するための手段】
【０００８】
本発明は、これらの課題を解決すべくなされたもので、上面を平面に形成し、下面を球状凹面に形成した第一の部材と、上面を球状凸面に形成し、下面を平面に形成した第二の部材とを作成し、これら二つの部材をその凹凸面で対向させて嵌合し、蓄電池端子と接続かんを締結する際に、これら嵌合された二つの部材を間に介在するようにしたことを特徴とするものである。
【０００９】
このように、凹凸面を嵌合した部材を介在させることで、蓄電池端子の高さや位置に差異が生じ、接続かんが傾斜して締結されるような場合においても、その傾きに応じて嵌合した凹凸面が円弧状に摺動するため、第一の部材はその上面を傾斜した接続かんの下面と平行に接触しながら傾いて接触し、同時に第二の部材の下面は蓄電池端子の上面と平行に保持して接触させることができる。その結果、傾斜した接続かんにおいても接続かんと端子間の良好な接触が確保、維持できる矯正部材を構成するものである。これにより、接続かんの傾斜により接続かんと端子の接触が局部的になって接触抵抗が大きくなる、あるいは長期的に締結力が不均一、不安定となって接触抵抗が増大するなどの問題を防止することができる。
【００１０】
なお、接続かんの傾きや接触状態の差は、蓄電池や端子部の設計公差、据え付け位置或いは据え付け架台の傾きによって生じる場合もありうるが、第一の部材と第二の部材による上記の摺動による矯正効果は全く同様に得ることができる。
【発明の効果】
【００１１】
本発明によれば、高さの異なる蓄電池端子間に接続かんを渡しても端子と接続かんとの間に十分な接触面積を確保することが出来ると共に、均一に締結できるので、接続部における接触抵抗を低くできるとともに、その増加を防止する効果を奏するものである。
【図面の簡単な説明】
【００１２】
【図１】本発明の傾き矯正部材を示す図。
【図２】本発明の傾き強制部材を用いた蓄電池端子の接続状態を示す正面部分図。
【図３】従来の蓄電池端子の接続部を示す図で、（イ）は端子の頂面に接続かんを接続する場合の接続状態を示す正面部分図、（ロ）は端子の側面に接続かんを接続する場合の接続状態を示す上面図。
【発明を実施するための最良の形態】
【００１３】
本発明の実施形態を図により説明する。  図1は本発明の実施形態の図である。図１（イ）は、第一の部材１の平面図であり、図示される如く、第一の部材１は円盤形状をしている。図１（ロ）は、第一の部材の正面図で、図示される如く、この第一の部材１の相対する上下面において、上面１１は平面で、下面は切削により球状の凹面１２に形成されている。図１（ハ）は、第二の部材２の正面図で、図示される如く、この第二の部材２の相対する上下面において、上面２１は切削により球状の凸面に形成され、下面は平面である。図１（ニ）は、第二の部材２の平面図で、第一の部材１と同様に円盤形状である。そして、この第一の部材１の下面１２の球状凹面と、第二の部材２の上面２１の球状凸面は同一の曲率半径とし、相互の接触面では隙間なく嵌合し摺接する。
【００１４】
第一の部材１および第二の部材２の外径は通常は同じとし、接触抵抗の点からできるだけ大きくするが、蓄電池のサイズにより適宜選定できる。しかし、部材の径が通常より小さい場合や、接続かんの傾斜が大きい場合は、いずれか片方の部材外径を他の部材より大きくして摺動による部材の位置ずれで起きる接触面積の減少を防ぐことが望ましい。  
【００１５】
また、第一の部材１には、締結ボルト用の挿通口１３がボルト径より大きな円形、長円形もしくは楕円形状に形成され、第二の部材２には、ボルト径とほぼ同じ大きさの円形の挿通口２３が形成される。これにより接続かんと当接する第一の部材１のみを摺動して移動する部材とすることが可能となるので、ボルトによる垂直方向の締結が容易となり、また第二の部材２が端子からずれることを防止できる。
【００１６】
図２はその使用形態を示す図である。それぞれ隣接して配置された鉛蓄電池３、３は、極板群や電解液が収納された電槽と電槽の蓋からなり、蓋の上面には通常そうであるように、頂面が水平な端子６が突出して形成されている。鉛蓄電池３には、端子は正負極それぞれの端子が形成されるが、１方のみを図示し、他方は省略した。端子６の頂面に本発明による対向した状態の第一、第二の部材１、２および接続かん４を乗せ、締結用ボルト５を上から接続かん４の開口穴および第一、第二の部材１、２の挿通口に通し、端子６の頂面に掘り込み形成したナットとしての雌ねじ孔７に螺合し締めつけて接続かん４が接続される。隣接する鉛蓄電池３の端子６には接続かん４の他端を同様に取り付けて鉛蓄電池３同士を接続する。
【００１７】
この際に、いずれの端子６においても、端子６頂面に第二の部材２の平面な下面を接触させ、接続かん４の下面には第一の部材１の平面な上面を接触させると共に、第一の部材１の下面の球状凹面と第二の部材の上面の球状凸面を互いに嵌合させた。これにより鉛蓄電池３、３間に設計公差等により水平方向に高さの差が生じ、接続かん４の傾斜が発生しても、嵌合された球状凹面と球状凸面により第一の部材１と第二の部材２が互いに摺動接触し、接続かん４と第一の部材１、第一の部材１と第二に部材２および第二の部材２と端子６の間が均一に面密着した接触状態となる。そして、締結用ボルト５を締めつけることにより蓄電池端子間の均一な接続が達成できる。
【００１８】
上記各部材の外径寸法は、第一の部材１は、直径３０ｍｍ、周側部の厚さ５ｍｍの円盤状とし、その下面に曲率半径１７０ｍｍの球状凹面を形成したもの、第二の部材２は、直径３０ｍｍ、周側部の厚さ２ｍｍの円盤状とし、その上面に曲率半径１７０ｍｍの球状凸面を形成したものである。また、蓄電池の端子の直径は２８ｍｍである。これら曲率半径の寸法は、同一外径であれば、対向する凹凸面の形状は、その曲率半径（R）が小さい場合は蓄電池端子高さの差を吸収しやすいが摺動距離は小さくなる。反対にRが大きい場合は高さの差は吸収しにくいが摺動距離はとりやすい。
【００１９】
上記使用形態では、端子に締結される締結用ボルトの径は１０ｍｍであり、第一の部材１の挿通口は直径１３ｍｍ、第二の部材２のそれは直径１１ｍｍである。なお、接続かん４の開口穴は直径１３ｍｍである。
【００２０】
また、上記第一、第二の各部材は、真鍮、または鉛めっきした銅あるいは銅合金などの導電性を有する材料で構成し、該凹凸面は切削、プレス、鋳造法などにより作成できる。  
【００２１】
なお、接続かん４は、真鍮、または鉛めっきを施された銅あるいは銅合金からなり、その両端に開口穴のある短冊状に形成される。
【００２２】
以上により、図２に示したごとく、蓄電池の設計公差あるいは蓄電池の据え付け用架台の寸法や組み立てなどにより蓄電池端子の高さの差、あるいは角度差が発生している場合に、第一の部材１が第二の部材２に対して、その嵌合する接触面で摺動して円弧状に位置ずれを起こし、第一の部材１の上面平面は接続かんと平行な接触面となり、また第二の部材２はその下面平面で端子と平行な接触面が得られることになる。
【００２３】
従って、端子および接続かんへの締結力が、部材および接続かんの変形を来たすことなく均一に分布するため、広い面積で均等な接続が可能となり、引用文献１に記載された編組線を用いた場合に起きる締結力の不均一さが回避できるので、接触抵抗を低くできるとともに、長期に使用した場合の抵抗値の上昇を抑制することができる。
【００２４】
なお、上記では、端子内部にボルトの雌ねじ孔を形成し、これにボルトをねじ止めして接続かんを固定する例を示したが、本発明はこれに限定されるものではなく、端子にボルトを植立して、これに部材や接続かんを挿通してナットにより固定する方法でも良い。
【００２５】
また、上記したように各部材の凹凸部の表面状態はできるだけ平滑とし、摺動部の接触抵抗を低減するが、さらにその電気的安定性を確保するために導電性、耐食性のある潤滑剤や防錆剤の少量塗布を適用することもできる。
【００２６】
さらに、本実施形態では、各部材を円盤形状として説明したが、その外部形状はこれに限定されず、矩形でも多角形などでもよく、また部材の厚みも締め付け力で変形しない範囲であれば適宜選定することができる。
【００２７】
また、上記使用形態とは反対に、第一の部材を端子側に、第二の部材を接続かん側に配置するようにしても良いが、その場合でも、前記した理由により、各部材のサイズ、挿通口などの相互関係は同様とすることが必要である。
【００２８】
また、上記使用形態では、第一部材と第二部材を共に直径３０ｍｍとして、端子の直径より大きくして、部材の摺動による部材間の接触面積が減少しても、端子との接触面積分は確保しようとする例を示したが、第一部材の直径を例えば３２ｍｍと第二部材のそれより大きくすれば、部材の摺動による部材間の接触面積が多少でも減少しないようにすることが出来る。
【００２９】
さらに、本発明の第一の部材と第二の部材からなる傾き矯正部材は、図３（ロ）に示すような、平板状の端子を有する蓄電池の側面に接続かんを当接して接続する場合にも、その端子と接続かんの間に同様に配置し、用いることが出来る。
【産業上の利用可能性】
【００３０】
本発明の使用により、隣接する蓄電池の端子の高さが異なる場合にも、その段差を吸収して接続かんを取り付けられるので、接触抵抗の低い接続方法が実現できる。
【符号の説明】
【００３１】
１  第一の部材
２  第二の部材
３  蓄電池（鉛蓄電池）
４  接続かん
５  ボルト（締結用ボルト）
６  端子
７  ナット（雌ねじ部）
【図１】
2012043670.tif 000003
【図２】
2012043670.tif 000004
【図３】
2012043670.tif 000005